(57)【特許請求の範囲】
【請求項１】
左眼用入力信号及び右眼用入力信号を含む三次元入力信号の入力を受け付ける入力部と、
前記入力部に入力された前記三次元入力信号に画像処理を施して、左眼用出力信号及び右眼用出力信号を含む三次元出力信号を生成する画像処理部と、
前記画像処理部で生成された前記三次元出力信号から前記左眼用出力信号及び前記右眼用出力信号の一方を抽出して二次元出力信号を生成する画像変換部と、
前記画像処理部で生成された前記三次元出力信号を出力する第１の出力端子と、
前記第１の出力端子から前記三次元出力信号が出力されるのと並行して、前記画像変換部で生成された前記二次元出力信号を出力する第２の出力端子とを備える
映像信号処理装置。
【請求項２】
前記三次元出力信号は、前記左眼用出力信号と前記右眼用出力信号とが１ラインずつ交互に出力されるラインシーケンシャル信号であって、
前記画像変換部は、前記左眼用出力信号及び前記右眼用出力信号の一方の開始を示す水平同期信号を検出し、当該水平同期信号を検出した時点から所定長さの信号のみを読み出す処理を、ピクチャの区切りを示す垂直同期信号を検出するまで繰り返すことにより、前記三次元出力信号から前記左眼用出力信号及び前記右眼用出力信号の一方を抽出する３Ｄ／２Ｄ変換部を備える
請求項１に記載の映像信号処理装置。
【請求項３】
前記三次元出力信号は、前記左眼用出力信号と前記右眼用出力信号とが１ピクチャずつ交互に出力されるフレームシーケンシャル信号であって、
前記画像変換部は、ピクチャの区切りを示す垂直同期信号を検出し、当該垂直同期信号を検出する毎に信号を読み出す処理の実行及び停止を切り替えることにより、前記三次元出力信号から前記左眼用出力信号及び前記右眼用出力信号の一方を抽出する３Ｄ／２Ｄ変換部を備える
請求項１に記載の映像信号処理装置。
【請求項４】
前記画像変換部は、さらに、前記３Ｄ／２Ｄ変換部によって出力された信号の解像度を変換する解像度変換部を備える
請求項２又は３に記載の映像信号処理装置。
【請求項５】
前記画像処理部は、
前記入力信号のサイズを変更するリサイズ部と、
前記リサイズ部から出力される信号を出力形式に対応した信号に変換するフォーマット変換部と、
前記フォーマット変換部の処理前及び処理後の少なくとも一方の信号に他の信号を重畳させるＯＳＤ重畳部とを備える
請求項１〜４のいずれか１項に記載の映像信号処理装置。
【請求項６】
左眼用入力信号及び右眼用入力信号を含む三次元入力信号の入力を受け付ける入力ステップと、
前記入力ステップで入力された前記三次元入力信号に画像処理を施して、左眼用出力信号及び右眼用出力信号を含む三次元出力信号を生成する画像処理ステップと、
前記画像処理ステップで生成された前記三次元出力信号から前記左眼用出力信号及び前記右眼用出力信号の一方を抽出して二次元出力信号を生成する画像変換ステップと、
前記画像処理ステップで生成された前記三次元出力信号を出力する第１の出力ステップと、
前記第１の出力ステップで前記三次元出力信号が出力されるのと並行して、前記画像変換ステップで生成された前記二次元出力信号を出力する第２の出力ステップとを含む
映像信号処理方法。
【発明の詳細な説明】
【技術分野】
【０００１】
本発明は、映像信号処理装置に関し、特に、二次元映像信号と三次元映像信号とを出力するための映像信号処理装置に関するものである。
【背景技術】
【０００２】
従来、視聴者が立体的に感じる三次元映像を表示する三次元映像表示装置が知られている（例えば、特許文献１参照）。この三次元映像表示装置は、視差を有する左眼用画像と右眼用画像とを所定の方式で表示させることで、視聴者が立体的に感じる三次元映像を表示する。例えば、左眼用画像と右眼用画像とを１フレーム毎に交互に表示する。
【０００３】
また、ＢＤ（Ｂｌｕ−ｒａｙ  Ｄｉｓｃ）プレーヤ等の映像信号処理装置によって三次元映像信号を生成／編集し、当該映像信号処理装置に接続された表示装置（ディスプレイ）で三次元映像を表示する技術も知られている。
【先行技術文献】
【特許文献】
【０００４】
【特許文献１】特開２００５−１３６５４１号公報
【発明の概要】
【発明が解決しようとする課題】
【０００５】
このような映像信号処理装置は、レガシーな機器などにも対応するために出力形式の異なる複数の端子を持つことが望ましい。当該映像信号処理装置が複数の端子を持つ場合、一方側の端子に３Ｄ対応装置が接続され、他方側の端子に３Ｄ非対応装置が接続される場合が考えられる。さらには、３Ｄ対応装置に３Ｄ映像を表示させながら、当該３Ｄ映像に対応する２Ｄ映像を３Ｄ非対応の記録装置で記録するような場合もありえる。
【０００６】
そこで、本発明は、上記課題を解決するためになされたものであり、接続機器の機能に合わせた複数の接続インタフェースを備える映像信号処理装置を提供することを目的とする。
【課題を解決するための手段】
【０００７】
本発明の一形態に係る映像信号処理装置は、左眼用入力信号及び右眼用入力信号を含む三次元入力信号の入力を受け付ける入力部と、前記入力部に入力された前記三次元入力信号に画像処理を施して、左眼用出力信号及び右眼用出力信号を含む三次元出力信号を生成する画像処理部と、前記画像処理部で生成された前記三次元出力信号から前記左眼用出力信号及び前記右眼用出力信号の一方を抽出して二次元出力信号を生成する画像変換部と、前記画像処理部で生成された前記三次元出力信号を出力する第１の出力端子と、前記第１の出力端子から前記三次元出力信号が出力されるのと並行して、前記画像変換部で生成された前記二次元出力信号を出力する第２の出力端子とを備える。
【０００８】
上記構成によれば、第１の出力端子から三次元映像信号を、第２の出力端子から二次元映像信号をそれぞれ出力するので、接続機器の機能に合わせて適切なインタフェースを選択することができる。
【０００９】
一例として、前記三次元出力信号は、前記左眼用出力信号と前記右眼用出力信号とが１ラインずつ交互に出力されるラインシーケンシャル信号であってもよい。そして、前記画像変換部は、前記左眼用出力信号及び前記右眼用出力信号の一方の開始を示す水平同期信号を検出し、当該水平同期信号を検出した時点から所定長さの信号のみを読み出す処理を、ピクチャの区切りを示す垂直同期信号を検出するまで繰り返すことにより、前記三次元出力信号から前記左眼用出力信号及び前記右眼用出力信号の一方を抽出する３Ｄ／２Ｄ変換部を備えてもよい。
【００１０】
他の例として、前記三次元出力信号は、前記左眼用出力信号と前記右眼用出力信号とが１ピクチャずつ交互に出力されるフレームシーケンシャル信号であってもよい。そして、前記画像変換部は、ピクチャの区切りを示す垂直同期信号を検出し、当該垂直同期信号を検出する毎に信号を読み出す処理の実行及び停止を切り替えることにより、前記三次元出力信号から前記左眼用出力信号及び前記右眼用出力信号の一方を抽出する３Ｄ／２Ｄ変換部を備えてもよい。
【００１１】
さらに、前記画像変換部は、前記３Ｄ／２Ｄ変換部によって出力された信号の解像度を変換する解像度変換部を備えてもよい。これにより、例えば、コンポジットやＤＡＣ等の出力端子に二次元出力信号を出力することができる。
【００１２】
また、前記画像処理部は、前記入力信号のサイズを変更するリサイズ部と、前記リサイズ部から出力される信号を出力形式に対応した信号に変換するフォーマット変換部と、前記フォーマット変換部の処理前及び処理後の少なくとも一方の信号に他の信号を重畳させるＯＳＤ重畳部とを備えてもよい。
【００１３】
本発明の一形態に係る映像信号処理方法は、左眼用入力信号及び右眼用入力信号を含む三次元入力信号の入力を受け付ける入力ステップと、前記入力ステップで入力された前記三次元入力信号に画像処理を施して、左眼用出力信号及び右眼用出力信号を含む三次元出力信号を生成する画像処理ステップと、前記画像処理ステップで生成された前記三次元出力信号から前記左眼用出力信号及び前記右眼用出力信号の一方を抽出して二次元出力信号を生成する画像変換ステップと、前記画像処理ステップで生成された前記三次元出力信号を出力する第１の出力ステップと、前記第１の出力ステップで前記三次元出力信号が出力されるのと並行して、前記画像変換ステップで生成された前記二次元出力信号を出力する第２の出力ステップとを含む。
【発明の効果】
【００１４】
本発明によれば、第１の出力端子から三次元映像信号を、第２の出力端子から二次元映像信号をそれぞれ出力するので、接続機器の機能に合わせて適切なインタフェースを選択することができる。
【図面の簡単な説明】
【００１５】
【図１】図１は、本発明の一実施形態に係る三次元画像処理装置の概略図である。
【図２】図２は、三次元画像処理装置によってフォーマット変換され、デジタルテレビに表示される三次元画像を説明するための概念図である。
【図３】図３は、本発明の一実施形態に係る三次元画像処理装置の機能ブロック図である。
【図４】図４は、本発明の一実施形態に係る映像信号処理装置の機能ブロック図である。
【図５】図５は、図４に示される映像信号処理装置の詳細な機能ブロック図である。
【図６】図６は、図５に示される映像信号処理装置の動作を示すフローチャートである。
【図７】図７は、画像変換部に入力される３Ｄ出力信号の一例を示す図である。
【図８】図８は、画像変換処理の一例を示すフローチャートである。
【図９】図９は、画像変換部に入力される３Ｄ出力信号の他の例を示す図である。
【図１０】図１０は、画像変換処理の他の例を示すフローチャートである。
【発明を実施するための形態】
【００１６】
以下、図面を参照して、本発明の実施の形態を説明する。
【００１７】
（実施の形態１）
図１は、本発明の実施の形態１に係る三次元画像処理装置１０の概略図である。三次元画像処理装置１０は、例えば、図１に示されるように、デジタルビデオレコーダである。この三次元画像処理装置１０は、例えば、記録媒体に記録されている圧縮された三次元映像信号をデコードして、ＨＤＭＩケーブル等を介してデジタルテレビ２０に出力する。
【００１８】
なお、記録媒体の具体例は特に限定されないが、例えば、ＢＤ（Ｂｌｕ−ｒａｙ  Ｄｉｓｃ）などの光ディスク、ＨＤＤ（Ｈａｒｄ  Ｄｉｓｋ  Ｄｒｉｖｅ）などの磁気ディスク、又は、不揮発性メモリ等を採用することができる。
【００１９】
また、この三次元画像処理装置１０は、記録媒体に記録されている三次元映像信号に限らず、放送波に含まれる三次元映像信号をデコードし、デジタルテレビ２０に出力するものであってもよい。放送波は、例えば、地上デジタルテレビ放送、及び衛星デジタルテレビ放送などである。
【００２０】
さらに、この三次元画像処理装置１０は、デジタルビデオレコーダに限定されず、例えば、撮像部を備えるデジタルビデオカメラであってもよい。つまり、デジタルビデオカメラから出力される三次元映像信号を変換して、ＨＤＭＩケーブル等を介して表示装置（テレビ等）や記録装置（デジタルビデオレコーダ等）に出力するものであってもよい。
【００２１】
図２は、三次元画像処理装置１０によって処理され、デジタルテレビ２０に表示される三次元画像を説明するための概念図である。
【００２２】
三次元映像信号には、図２に示されるように、左眼用画像３０Ｌと右眼用画像３０Ｒとが含まれる。この左眼用画像３０Ｌと右眼用画像３０Ｒとは、撮影位置から撮影対象のオブジェクトの距離に応じた視差を有する。デジタルテレビ２０は、例えば、この左眼用画像３０Ｌと右眼用画像３０Ｒとを交互に表示することにより、ユーザが立体的に感じる三次元映像を表示する。
【００２３】
次に、図３は、三次元画像処理装置１０の機能ブロック図である。三次元画像処理装置１０は、図３に示されるように、入力部１１０と、デコーダ１２０と、映像信号処理装置２００とを備える。
【００２４】
入力部１１０は、記録媒体に記録されている三次元映像信号３０を取得する。三次元映像信号３０は、例えば、ＭＰＥＧ−４  ＡＶＣ／Ｈ．２６４などの規格に基づいて圧縮符号化された符号化三次元映像を含んでいる。デコーダ１２０は、入力部１１０によって取得された三次元映像信号３０を復号することで、三次元映像信号である３Ｄ入力信号（三次元入力信号）３１を生成する。映像信号処理装置２００は、デコーダ１２０によって生成された３Ｄ入力信号３１を信号処理することで、３Ｄ出力信号（三次元出力信号）３２と２Ｄ出力信号（二次元出力信号）３３とを出力する。
【００２５】
なお、３Ｄ入力信号３１には、視差を有する左眼用入力信号と右眼用入力信号とが含まれる。同様に、３Ｄ出力信号３２には、視差を有する左眼用出力信号と右眼用出力信号とが含まれる。
【００２６】
次に、図４は、映像信号処理装置２００の機能ブロック図である。映像信号処理装置２００は、図４に示されるように、画像処理部２１０と、画像変換部２２０と、３Ｄ出力端子（第１の出力端子）２３０と、２Ｄ出力端子（第２の出力端子）２４０とを備える。
【００２７】
画像処理部２１０は、３Ｄ入力信号３１に画像処理を施して、左眼用出力信号及び右眼用出力信号を含む３Ｄ出力信号３２を生成する。画像処理の具体的な内容は特に限定されないが、例えば、左眼用入力画像及び右眼用入力画像を拡大又は縮小するリサイズ処理、３Ｄ入力信号３１の走査方式をプログレッシブ方式及びインターレース方式の一方から他方に変換するＩＰ変換処理、３Ｄ入力信号３１のフレームレートを変換するフレームレート変換処理、３Ｄ入力信号３１のノイズを除去するノイズリダクション処理（ＮＲ処理）、及び３Ｄ入力信号３１に字幕やメニュー画面等を重畳させるＯＳＤ（Ｏｎ  Ｓｃｒｅｅｎ  Ｄｉｓｐｌａｙ）重畳処理等を挙げることができる。
【００２８】
画像変換部２２０は、画像処理部２１０から出力される３Ｄ出力信号３２を変換して２Ｄ出力信号３３を出力する。具体的には、三次元映像信号である３Ｄ出力信号３２を二次元映像信号である２Ｄ出力信号３３に変換する３Ｄ／２Ｄ変換処理を行う。また、３Ｄ／２Ｄ変換処理に加えて、解像度を変更する（主に、解像度を減じる）ダウンコンバート処理等を加えてもよい。
【００２９】
３Ｄ出力端子２３０は、三次元映像信号である３Ｄ出力信号３２を出力する。出力端子の具体例は特に限定されないが、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の出力端子を用いることができる。２Ｄ出力端子２４０は、二次元映像信号である２Ｄ出力信号３３を出力する。出力端子の具体例は特に限定されないが、例えば、ＤＡＣやコンポジット等の出力端子を用いることができる。
【００３０】
なお、３Ｄ出力信号３２と２Ｄ出力信号３３とは、同一のコンテンツを示す信号であって、三次元映像信号であるか二次元映像信号であるかが異なる。また、３Ｄ出力端子２３０及び２Ｄ出力端子２４０からは、３Ｄ出力信号３２及び２Ｄ出力信号３３が同時に出力される。但し、ここでの「同時」とは、３Ｄ出力信号３２及び２Ｄ出力信号３３が厳密に同期して出力されていることまでは要求されない。つまり、３Ｄ出力端子２３０及び２Ｄ出力端子２４０の一方のみから選択的に信号が出力されている状態ではなく、両方から並行して出力されている状態であればよい。
【００３１】
次に、図５は、図４に示される映像信号処理装置２００の詳細な機能ブロック図である。また、図６は、図５に示される映像信号処理装置２００の動作を示すフローチャートである。但し、本発明に係る映像信号処理装置２００が図５及び図６に示される形態に限定されないことは言うまでもない。
【００３２】
画像処理部２１０は、図５に示されるように、リサイズ部２１１と、フォーマット変換部２１２と、ＯＳＤ重畳部２１３とを備える。また、ＯＳＤ重畳部２１３は、第１の重畳部２１３ａと第２の重畳部２１３ｂとで構成される。但し、上記の各構成要素は本発明に必須ではなく、その一部又は全部を省略してもよい。また、他の構成要素をさらに追加してもよい。
【００３３】
リサイズ部２１１は、３Ｄ入力信号３１に含まれる左眼用入力画像及び右眼用入力画像のサイズを変更（拡大又は縮小）する（Ｓ１１）。典型例としては、ＯＳＤ重畳部２１３で重畳されるメニュー画面等との比率に応じて画像を縮小（画素を間引く）する。一方、オリジナルの画素の間の画素を補間することによって、画像を拡大してもよい。
【００３４】
フォーマット変換部２１２は、リサイズ部２１１から出力される信号を出力形式に対応する信号に変換する。つまり、リサイズ部２１１及び第１の重畳部２１３ａは、オリジナル（入力部１１０に入力された三次元映像信号）の画像に対して処理を実行する。一方、第２の重畳部２１３ｂ及び画像変換部２２０（フォーマット変換部２１２より下流の機能ブロック）は、デジタルテレビ２０に表示される画像に対して処理を実行する。
【００３５】
例えば、走査方式を変更するＩＰ変換処理を実行する（Ｓ１３）。すなわち、３Ｄ入力信号３１がインターレース方式で、３Ｄ出力信号３２がプログレッシブ方式である場合（又はその逆の場合）に走査方式を変更するＩＰ変換処理を実行する。
【００３６】
なお、ＩＰ変換処理に加えて、又はＩＰ変換処理に代えて、フレームレートを変更するフレームレート変換処理を実行してもよい。つまり、低フレームレート（６０ｆｐｓ）の３Ｄ入力信号３１を高フレームレート（１２０ｆｐｓ）に変換してもよいし、その逆の処理を実行してもよい。さらに、フォーマット変換部２１２は、出力する表示装置に合わせて画角を変更するフィルタ処理を実行してもよい。
【００３７】
ＯＳＤ重畳部２１３は、３Ｄ入力信号３１に他の信号を重畳（合成）させる。例えば、映像の下部領域に字幕を重畳させたり、映像を縮小して空いた領域にメニュー画面等を嵌め込んだりする処理を実行する。
【００３８】
第１の重畳部２１３ａは、主に字幕等を重畳させる処理を実行する（Ｓ１２）。この処理は、フォーマット変換部２１２の処理前に実行される。第２の重畳部２１３ｂは、主にメニュー画面等を嵌め込む処理を実行する（Ｓ１３）。この処理は、フォーマット変換部２１２の処理後に実行される。
【００３９】
画像変換部２２０は、３Ｄ／２Ｄ変換部２２１と、解像度変換部２２２とを備え、画像変換処理を実行する（Ｓ１５）。但し、解像度変換部２２２は本発明に必須ではなく、省略してもよい。また、他の構成要素をさらに追加してもよい。
【００４０】
３Ｄ／２Ｄ変換部２２１は、３Ｄ出力信号３２に含まれる左眼用出力信号及び右眼用出力信号のいずれか一方のみを抽出することによって、三次元映像信号を二次元映像信号に変換する。具体的な処理内容は、３Ｄ出力信号３２がラインシーケンシャルである場合と、フレームシーケンシャルである場合とに分けて後述する。
【００４１】
解像度変換部２２２は、３Ｄ／２Ｄ変換部で二次元映像信号に変換された信号の解像度（画質）を変更する。典型例としては、フルハイビジョン画像（１９２０×１０８０）を、ハイビジョン画像（１２８０×７２０）又はＶＧＡ（６４０×４８０）に変換するダウンコンバート処理を実行する。
【００４２】
なお、解像度変換部２２２から出力される２Ｄ出力信号３３は、メモリコントローラ２５０を介して一度メモリ２６０に格納された後、再度メモリコントローラ２５０を介して２Ｄ出力端子２４０に出力される。ここで、メモリコントローラ２５０及びメモリ２６０は、映像信号処理装置２００の構成要素であってよいし、映像信号処理装置２００が、外部の構成要素にアクセスするような構成であってもよい。
【００４３】
そして、画像処理部２１０から出力される３Ｄ出力信号３２が３Ｄ出力端子２３０から出力されると共に、これと並行して画像変換部２２０から出力される２Ｄ出力信号３３が２Ｄ出力端子２４０から出力される（Ｓ１６）。
【００４４】
上記構成の映像信号処理装置２００によれば、出力フォーマットに変換された３Ｄ出力信号３２を２Ｄ出力信号３３に変換し、３Ｄ出力信号３２を３Ｄ出力端子２３０から、２Ｄ出力信号３３を２Ｄ出力端子２４０から並行して出力することができる。
【００４５】
次に、図７及び図８を参照して、画像変換部２２０による画像変換処理の一例を説明する。なお、図７は、画像変換部２２０に入力される３Ｄ出力信号３２の一例を示す図である。図８は、画像変換処理の一例を示すフローチャートである。
【００４６】
図７に示される３Ｄ出力信号３２は、フルハイビジョン画像（１９２０×１０８０）であり、フレームレートは１２０Ｈｚ、走査方式はインターレース方式となっている。また、３Ｄ出力信号３２は、左眼用出力信号と右眼用出力信号とが１ラインずつ交互に出力されるラインシーケンシャル信号である。
【００４７】
また、３Ｄ出力信号３２には同期信号が付加される。具体的には、図７に示されるように、ラインの区切りを示す水平同期信号（ｈｒｅｓｅｔ）やＬＲＩＤ（Ｌｅｆｔ−Ｒｉｇｈｔ  ＩＤ）、及びピクチャ（インターレース方式においては、フィールド）の区切りを示す垂直同期信号（ｖｒｅｓｅｔ）やＦＩＤ（Ｆｒａｍｅ  ＩＤ）等が付加される。
【００４８】
水平同期信号は、ラインの区切りを示す信号であり、右眼用出力信号の終了及び左眼用出力信号の開始を示す第１の水平同期信号（図７中「ＨA」と表示）と、左眼用出力信号の終了及び右眼用出力信号の開始を示す第２の水平同期信号（図７中「ＨB」と表示）とを含む。一方、垂直同期信号は、トップフィールド及びボトムフィールドの区切りを示す信号である。なお、図７の例では、水平同期信号及び垂直同期信号の前後に所定のマージンを設けている。つまり、実際には、同期信号を検出してから数クロック経過後に画素信号の読み出しを開始することになる。
【００４９】
また、ＬＲＩＤは、信号レベルがＬｏｗ状態の期間中が左眼用出力信号で、信号レベルがＨｉｇｈ状態の期間中が右眼用出力信号であることを示す。一方、ＦＩＤは、信号レベルがＬｏｗ状態の期間中がトップフィールドで、信号レベルがＨｉｇｈ状態の期間中がボトムフィールドであることを示す。
【００５０】
３Ｄ出力端子２３０は、３Ｄ出力信号３２と共に、これらの同期信号を出力する。そして、当該３Ｄ出力端子２３０に接続される表示装置（図示省略）は、これらの同期信号を用いて、３Ｄ出力信号３２から左眼用出力信号及び右眼用出力信号を読み出し、ディスプレイ上に表示する。その結果、視差を有する左眼用出力信号と右眼用出力信号とが交互に表示されることになるので、ユーザが立体的に感じる三次元映像を表示することができる。
【００５１】
図７は、画像変換部２２０が、水平同期信号及び垂直同期信号を用いて、３Ｄ出力信号３２から左眼用出力信号のみを読み出す処理の流れを示している。なお、この時の画像変換部２２０には、水平同期信号のうちの第２の水平同期信号ＨBが省略され、第１の水平同期信号ＨAのみが与えられる。
【００５２】
なお、同期信号から第２の水平同期信号ＨBを除去する処理は、例えば、三次元画像処理装置１０のＣＰＵ（図示省略）で実行されるプログラムによって制御してもよいし（ソフトウェア制御）、第２の水平同期信号ＨBを無視するように画像変換部２２０のＬＳＩを設計してもよい（ハードウェア制御）。
【００５３】
まず、３Ｄ／２Ｄ変換部２２１は、水平同期信号（第１の水平同期信号ＨA）を監視する（Ｓ２１）。そして、水平同期信号を検出した３Ｄ／２Ｄ変換部２２１（Ｓ２１でＹｅｓ）は、３Ｄ出力信号３２から所定長さの画素信号（１９２０画素）を読み出す（Ｓ２２）。そして、３Ｄ／２Ｄ変換部２２１は、この処理（Ｓ２１〜Ｓ２２）を、垂直同期信号を検出するまで繰り返す（Ｓ２３）。なお、Ｓ２２で読み出された画素信号は、垂直同期信号を検出するまでメモリ（図示省略）に順次蓄積される。
【００５４】
次に、垂直同期信号を検出した３Ｄ／２Ｄ変換部２２１（Ｓ２３でＹｅｓ）は、メモリに蓄積していた画素信号を解像度変換部２２２に出力する。なお、ここで出力される信号は、左眼用出力信号の１ピクチャ（フィールド）に相当する。また、信号出力後、メモリの内容はクリアされる。
【００５５】
ただし、Ｓ２２で読み出された画素信号をメモリに蓄積する処理は、必須ではない。つまり、垂直フィルタ処理を実行しない場合には、一旦メモリに蓄積する必要はなく、読み出した順に直接解像度変換部２２２に出力してもよい。
【００５６】
次に、解像度変換部２２２は、３Ｄ／２Ｄ変換部２２１から取得した画像の解像度を変換し（Ｓ２４）、二次元映像信号である２Ｄ出力信号３３として、メモリコントローラ２５０を介してメモリ２６０に出力する（Ｓ２５）。そして、画像変換部２２０は、上記の処理（Ｓ２１〜Ｓ２５）を３Ｄ出力信号３２が終了するまで繰り返す（Ｓ２６）。
【００５７】
メモリ２６０に格納された２Ｄ出力信号３３は、２Ｄ出力端子２４０から順次出力される。ここで、２Ｄ出力信号３３のフレームレートは、３Ｄ出力信号３２の半分（すなわち、６０Ｈｚ）となる。この２Ｄ出力信号３３は、左眼用出力信号のみで構成されているので、当該２Ｄ出力端子２４０に接続される表示装置（図示省略）は、従来と同様の二次元映像を表示することになる。
【００５８】
なお、上記の実施形態においては、水平同期信号及び垂直同期信号を用いて左眼用出力信号を読み出す例を示したが、これに限ることなく、ＬＲＩＤ及びＦＩＤを用いてもよい。具体的には、ＬＲＩＤの信号レベルがＬｏｗ状態の期間中だけ画素信号を読み出してメモリに格納し、メモリ内の画素信号をＦＩＤの信号レベルが切り替わる度に出力するようにしてもよい。また、上記の処理は、水平同期信号及びＦＩＤの組み合わせ、又はＬＲＩＤ及び垂直同期信号の組み合わせでも実現することができる。
【００５９】
また、上記の実施形態においては、３Ｄ出力信号３２から左眼用出力信号のみを読み出した例を示したが、これに限ることなく、右眼用出力信号のみを読み出してもよいことは言うまでもない。この場合、画像変換部２２０には、第２の水平同期信号ＨBのみが与えられる。そして、３Ｄ／２Ｄ変換部２２１は、第２の水平同期信号ＨBを検出してから所定長さの画素信号を読み出す。
【００６０】
次に、図９及び図１０を参照して、画像変換部２２０による画像変換処理の他の例を説明する。なお、図９は、画像変換部２２０に入力される３Ｄ出力信号３２の一例を示す図である。図１０は、画像変換処理の他の例を示すフローチャートである。
【００６１】
図９に示される３Ｄ出力信号３２は、フルハイビジョン画像（１９２０×１０８０）であり、フレームレートは１２０Ｈｚ、走査方式はインターレース方式となっている。また、３Ｄ出力信号３２は、左眼用出力信号と右眼用出力信号とが１ピクチャ（フィールド）ずつ交互に出力されるフレームシーケンシャル信号である。なお、水平同期信号に上記のような区別（ＨA、ＨB）が無いことを除いて、各種同期信号は図７の場合と同様であるので、説明は省略する。
【００６２】
まず、３Ｄ／２Ｄ変換部２２１は、水平同期信号を監視する（Ｓ３１）。そして、水平同期信号を検出した３Ｄ／２Ｄ変換部２２１（Ｓ３１でＹｅｓ）は、３Ｄ出力信号３２から所定長さの画素信号（１９２０画素）を読み出す（Ｓ３２）。そして、３Ｄ／２Ｄ変換部２２１は、この処理（Ｓ３１〜Ｓ３２）を、垂直同期信号を検出するまで繰り返す（Ｓ３３）。なお、Ｓ３２で読み出された画素信号は、垂直同期信号を検出するまでメモリ（図示省略）に順次蓄積される。
【００６３】
次に、垂直同期信号を検出した３Ｄ／２Ｄ変換部２２１（Ｓ３３でＹｅｓ）は、メモリに蓄積していた画素信号を解像度変換部２２２に出力する。なお、ここで出力される信号は、左眼用出力信号の１ピクチャ（フィールド）に相当する。また、信号出力後、メモリの内容はクリアされる。
【００６４】
次に、解像度変換部２２２は、３Ｄ／２Ｄ変換部２２１から取得した画像の解像度を変換し（Ｓ３４）、二次元映像信号である２Ｄ出力信号３３として、メモリコントローラ２５０を介してメモリ２６０に出力する（Ｓ３５）。
【００６５】
次に、３Ｄ／２Ｄ変換部２２１は、次の垂直同期信号を検出するまでの間、処理を停止する（Ｓ３６）。具体的には、三次元画像処理装置１０のＣＰＵによってμコードを制御することにより、３Ｄ／２Ｄ変換部２２１に３Ｄ出力信号３２へのアクセスを停止させる。そして、画像変換部２２０は、上記の処理（Ｓ３１〜Ｓ３６）を３Ｄ出力信号３２が終了するまで繰り返す（Ｓ３７）。
【００６６】
メモリ２６０に格納された２Ｄ出力信号３３は、２Ｄ出力端子２４０から順次出力される。ここで、２Ｄ出力信号３３のフレームレートは、３Ｄ出力信号３２の半分（すなわち、６０Ｈｚ）となる。この２Ｄ出力信号３３は、左眼用出力信号のみで構成されているので、当該２Ｄ出力端子２４０に接続される表示装置（図示省略）は、従来と同様の二次元映像を表示することになる。
【００６７】
なお、上記の実施形態においては、水平同期信号及び垂直同期信号を用いて左眼用出力信号を読み出す例を示したが、これに限ることなく、ＬＲＩＤやＦＩＤを用いてもよい。例えば、ＬＲＩＤの信号レベルがＬｏｗ状態の期間中だけ画素信号を読み出し、信号レベルがＨｉｇｈ状態の期間中は処理を停止するようにしてもよい。また、上記の処理は、同期信号の他の組み合わせでも実現することができる。
【００６８】
また、上記の実施形態においては、３Ｄ出力信号３２から左眼用出力信号のみを読み出す例を示したが、これに限ることなく、右眼用出力信号のみを読み出してもよいことは言うまでもない。
【００６９】
上記構成の三次元画像処理装置１０の好適な用途として、例えば、３Ｄ出力端子２３０に接続されたテレビに三次元映像が表示されない場合に、当該テレビを２Ｄ出力端子２４０に接続して動作確認することができる。又は、３Ｄ出力端子２３０に接続されたテレビで三次元映像を視聴しながら、２Ｄ出力端子２４０に接続された記録装置に二次元映像を記録させることもできる。
【００７０】
なお、上記の三次元画像処理装置１０は、二次元ＨＤ画像を第１の出力端子から出力すると共に、当該二次元ＨＤ画像を二次元ＳＤ画像にダウンコンバートして第２の出力端子から出力する二次元画像処理装置と処理ブロックの大部分を共通化することが可能となる。これにより、製造コストを大幅に削減することが可能となる。
【００７１】
また、上記の各例では、左眼用出力信号と右眼用出力信号とが１ピクチャずつ交互に表示される３Ｄ出力信号３２の例を示したが、これに限ることなく、１ピクチャの中に左眼用画素と右眼用画素とが混在しているフォーマットの３Ｄ出力信号にも適用できる。
【００７２】
この場合、３Ｄ／２Ｄ変換部２２１は、ピクチャから左眼用画素及び右眼用画素の一方を抽出して２Ｄ出力信号を生成すればよい。また、このようにして生成される２Ｄ出力画像は、画素数が通常の半分となっているので、右眼用画素に相当する画素を補間する処理をさらに追加してもよい。
【００７３】
（その他変形例）
なお、本発明を上記実施の形態に基づいて説明してきたが、本発明は、上記の実施の形態に限定されないのはもちろんである。以下のような場合も本発明に含まれる。
【００７４】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００７５】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【００７６】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【００７７】
本発明は、上記に示す方法であるとしてもよい。また、これらの方法をコンピュータにより実現するコンピュータプログラムであるとしてもよいし、コンピュータプログラムからなるデジタル信号であるとしてもよい。
【００７８】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【００７９】
また、本発明は、コンピュータプログラムまたはデジタル信号を、電気通信回線、無線または有線通信回線、インターネットを代表とするネットワーク、データ放送等を経由して伝送するものとしてもよい。
【００８０】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【００８１】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【００８２】
上記実施の形態及び上記変形例をそれぞれ組み合わせるとしてもよい。
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００８３】
本発明は、映像信号処理装置に有利に利用される。
【符号の説明】
【００８４】
１０                                  三次元画像処理装置
２０                                  デジタルテレビ
３０                                  三次元映像信号
３０Ｌ                                左眼用画像
３０Ｒ                                右眼用画像
３１                                  ３Ｄ入力信号
３２                                  ３Ｄ出力信号
３３                                  ２Ｄ出力信号
１１０                                入力部
１２０                                デコーダ
２００                                映像信号処理装置
２１０                                画像処理部
２１１                                リサイズ部
２１２                                フォーマット変換部
２１３                                ＯＳＤ重畳部
２１３ａ                              第１の重畳部
２１３ｂ                              第２の重畳部
２２０                                画像変換部
２２１                                ３Ｄ／２Ｄ変換部
２２２                                解像度変換部
２３０                                ３Ｄ出力端子
２４０                                ２Ｄ出力端子
２５０                                メモリコントローラ
２６０                                メモリ
【図１】
0005588144.tif 000002
【図２】
0005588144.tif 000003
【図３】
0005588144.tif 000004
【図４】
0005588144.tif 000005
【図５】
0005588144.tif 000006
【図６】
0005588144.tif 000007
【図７】
0005588144.tif 000008
【図８】
0005588144.tif 000009
【図９】
0005588144.tif 000010
【図１０】
0005588144.tif 000011